(57)【要約】【課題】クレーンの安全装置が安易に解除され、安全性に問題のある作業が不用意に実施されてしまうことを牽制し、防止する。【解決手段】クレーン２に備えられる安全装置１であって、過負荷によるクレーン２の転倒を防止するべくクレーン２の操作を制限するための制御手段３と、その制御手段３による制限機能を解除する解除手段４とを備え、かつ解除手段４により制御手段３の制限機能が解除されたことを検知してその記録を残すタコグラフ等の記録手段５とを具備する。【選択図】      図１
2005047631.tif 000002
【特許請求の範囲】
【請求項１】
クレーンに備えられる安全装置であって、過負荷によるクレーンの転倒を防止するべくクレーンの操作を制限する制御手段と、その制御手段による制限機能を解除してクレーンの自由な操作を可能とする解除手段とを備え、かつ解除手段によって制御手段による制限機能が解除されたことを検知してその記録を残す記録手段とを具備したことを特徴とするクレーンの安全装置。
【発明の詳細な説明】
【０００１】
【発明の属する技術分野】
本発明は、クレーンの転倒を防止するための安全装置に関する。
【０００２】
【従来の技術】
周知のように、建設作業現場等において使用される各種のクレーン、たとえばクローラクレーンには、過負荷による転倒を防止するために、安全性の保証されない不用意な操作を制限するための安全装置が備えられている。しかし、クレーン自体を解体したり組み立てる際には安全装置を解除する必要もあるため、通常は必要に応じてオペレータが手動操作により安全装置を解除できるようになっている。そして、安全装置を解除したままでクレーンを不用意に使用してしまうことのないように、安全装置にはこれが解除されている間は警報を発したり警告灯を点灯させる等してオペレータおよび周囲に注意を喚起する機能が備えられている。
【０００３】
また、特許文献１には、通常の吊り荷作業を行うモードと、クレーン自体の分解組立作業を行うモードを選択して切り換えることにより、それぞれのモードにおいて適正な安全性が確保されるようにクレーンの操作を自動的に規制する構成の安全装置も提案されている。
【０００４】
【特許文献１】
特開平１１−１３０３８０号公報
【０００５】
【発明が解決しようとする課題】
しかし、上記のような従来の安全装置を備えたクレーンにおいても、オペレータが安全装置を安易に解除してしまい、安全性に問題のあるような作業を不用意に実施してしまうことがないとはいえず、より万全な安全対策が必要ともされている。
【０００６】
【課題を解決するための手段】
上記事情に鑑み、本発明は、クレーンに備えられる安全装置であって、過負荷によるクレーンの転倒を防止するべくクレーンの操作を制限する制御手段と、その制御手段による制限機能を解除してクレーンの自由な操作を可能とする解除手段とを備え、かつ解除手段によって制御手段による制限機能が解除されたことを検知してその記録を残す記録手段とを具備したことを特徴とする。
【０００７】
【発明の実施の形態】
以下、本発明の安全装置の実施形態を説明する。図１は本実施形態の安全装置１の概略構成を示すブロック図であり、この安全装置１は、従来のこの種の安全装置と同様に、過負荷によるクレーン２の転倒を防止することを目的として、安全性を損なうような不用意な操作を制限するための制御手段３を備え、かつクレーン２の組立時や解体時等にはそのような制限機能を解除することも必要なことから、必要に応じてオペレータが手動操作にて制御手段３の制限機能を解除する、つまり安全装置１による本来の安全機能を解除するための解除手段４を備えているものである。本実施形態の安全装置１においては、それら制御手段３および解除手段４としては従来のこの種の安全装置におけるものと同様の構成のものを任意に採用可能である。
【０００８】
上記の基本構成に加え、本実施形態の安全装置１は、この安全装置１の操作状況を記録として残すための記録手段５を具備したものとなっている。すなわち、クレーン２の組立や解体を行うに際して解除手段４を操作して制御手段３による制限機能を解除してクレーン２を自由に操作し得る状況となった際には、そのことが自ずと検知されて記録手段５に記録されて残されるようになっている。記録手段５としては適宜のものが採用可能であるが、車両の運行状況等を記録するための多用されている周知のタコグラフ（運行記録計）が好適に採用可能である。
【０００９】
より具体的に説明すると、図１に示すように本実施形態の安全装置１には解除手段４としてのリリーススイッチが設けられており、そのリリーススイッチがオペレータにより操作されると、リリース信号が制御手段３に出力されてその制限機能が解除され、それによりクレーン２の操作を自由に行い得る状況となる。  そして、その際には同時にリリース信号が発振器６を介して記録手段５としてのタコグラフにも出力されて、解除手段４により制御手段３の制限機能が解除されたことが記録されるようになっている。また、解除手段４の復帰操作により制御手段３が復帰して通常の制限機能が回復すると、そのことも記録手段５に記録されるようになっている。
【００１０】
図２は記録手段５としてのタコグラフへの記録状況の一例を示すものである。これは円形のチャート紙に上記のような解除記録が２４時間分にわたって自動的に記録され、かつオペレータが手書きによって現場名、作業年月日、クレーン機種、オペレータ名、および解除理由を適宜書き入れるようにしたものである。図示例の記録からは、作業開始時点の８時３０分頃に一時的に解除され、また、１７時過ぎから１８時２０分頃までの間にも解除されていたことが確認できる。前者は始業時における通常のブーム起伏操作のために必要な操作であったことが自明であり、後者はオペレータによる書き込み記録から主巻ワイヤーの捻戻し作業を行うために必要な操作であったことが確認できる。
【００１１】
したがって、作業終了後にこのような記録を管理者に提出すれば、管理者は解除の有無やその是非について確認することができ、仮にオペレータが独断で安易に解除していたり、あるいは解除したままで不用意に作業を行っていたような場合には、それについて注意を喚起して改善を指導することができるし、そのような安全性に問題のある作業をオペレータが独断で実施してしまうことに対する牽制効果も期待できる。
【００１２】
以上で本発明の実施形態を説明したが、本発明は上記実施形態に限定されることなく適宜の設計的変更が可能である。たとえば記録手段５としては上記で例示したようなタコグラフのみならず、解除手段４の操作を逐一記録して残すことができるものであれば適宜の構成のものが採用可能であるし、その記録の形式も任意である。
【００１３】
【発明の効果】
以上のように、本発明の安全装置は、クレーンの操作を制限する制御手段と、その制限機能を解除するための解除手段を備えるのみならず、この安全装置が解除されたことを検知してその記録を残す記録手段５を具備したので、その記録を確認することにより安全性に問題のあるような不適切な操作がなされた場合にはそれを改善し、またそのような作業が不用意に実施されてしまうようなことに対する牽制効果も期待でき、したがってクレーン作業の安全性と信頼性を向上させることができる効果がある。
【図面の簡単な説明】
【図１】本発明の実施形態である安全装置の概略構成を示すブロック図である。
【図２】同、記録手段によるチャート紙への記録状況の一例を示す図である。
【符号の説明】
１  安全装置
２  クレーン
３  制御手段
４  解除手段（リリーススイッチ）
５  記録手段（タコグラフ）
６  発振器
【図１】
2005047631.tif 000003
【図２】
2005047631.tif 000004